(57)【要約】      （修正有）【課題】ＬＣＰ分子の規則的な配列をかき乱して、横方向及び縦方向の引張強度の異方性を緩和または排除することができるＬＣＰフィルムの生産装置を提供する。【解決手段】台座１０と、スクリュー押出機５０と、Ｔ状台供給口６０と、第１のローラー７１、第２のローラー７２及び第３のローラー７３を含み、第１のローラーと第２のローラーが並べて固定されるようにＴ状台供給口の真下に取り付けられ、第３のローラーが並べて固定されるように第２のローラーの隣に取り付けられる押出モジュール７０と、ボルトによってＴ状台供給口に固定接続され、且つＴ状台供給口の周りをひと回りするように取り付けられる電磁場発生器８０と、を備え、スクリュー押出機が台座頂端に固定実装され、Ｔ状台供給口がスクリュー押出機の一端に固定実装される。【選択図】図１
0003231539.tif 000002
【実用新案登録請求の範囲】
【請求項１】
台座（１０）と、
スクリュー押出機（５０）と、
Ｔ状台供給口（６０）と、
第１のローラー（７１）、第２のローラー（７２）及び第３のローラー（７３）を含み、前記第１のローラー（７１）と第２のローラー（７２）が並べて固定されるようにＴ状台供給口（６０）の真下に取り付けられ、前記第３のローラー（７３）が並べて固定されるように第２のローラー（７２）の隣に取り付けられる押出モジュール（７０）と、
ボルトによってＴ状台供給口（６０）に固定接続され、且つＴ状台供給口（６０）の周りをひと回りするように取り付けられる電磁場発生器（８０）と、を備え、
前記スクリュー押出機（５０）が台座（１０）の頂端に固定実装され、前記Ｔ状台供給口（６０）がスクリュー押出機（５０）の一端に固定実装されることを特徴とするＬＣＰフィルムの生産装置。
【請求項２】
供給ホッパー（４１）を含み、前記供給ホッパー（４１）の内部両側にスリーブによって２本の撹拌ロール（４２）が可動に取り付けられ、前記撹拌ロール（４２）の外壁表面に撹拌羽根（４３）が固定接続される供給モジュール（４０）を更に備え、
前記供給モジュール（４０）がスクリュー押出機（５０）の頂端に固定実装されることを特徴とする請求項１に記載のＬＣＰフィルムの生産装置。
【請求項３】
前記スクリュー押出機（５０）が押出シリンダ（５１）を含み、前記押出シリンダ（５１）の内部にスリーブによって押出スクリュー（５２）が可動に取り付けられ、前記押出シリンダ（５１）の外壁表面に電気加熱コイル（５３）が固定実装され、前記電気加熱コイル（５３）の外部にアウトジャケット（５４）が固定実装され、前記押出シリンダ（５１）の一端に押出口（５５）が固定接続されることを特徴とする請求項１に記載のＬＣＰフィルムの生産装置。
【請求項４】
駆動ケース（３１）を含み、前記駆動ケース（３１）の内部底端にスリーブによって駆動回転軸（３２）が可動に取り付けられ、前記駆動回転軸（３２）の外部に駆動歯車（３４）が固定実装され、前記駆動ケース（３１）の内部上端の両側にスリーブによって従動回転軸（３３）が可動に取り付けられ、２本の前記従動回転軸（３３）の外部に従動歯車（３５）が固定実装される駆動モジュール（３０）を更に備え、
前記駆動回転軸（３２）の一端が駆動ケース（３１）を貫通し且つ押出スクリュー（５２）の一端に固定接続され、２本の前記従動回転軸（３３）の一端が駆動ケース（３１）を貫通し且つ撹拌ロール（４２）の一端に固定接続され、
前記駆動モジュール（３０）が台座（１０）の頂端の一側に固定実装されることを特徴とする請求項１に記載のＬＣＰフィルムの生産装置。
【請求項５】
動力出力端が駆動回転軸（３２）に固定接続される駆動モータ（２０）を更に備え、
前記駆動モータ（２０）がモータブラケットによって台座（１０）の一端に固定実装されることを特徴とする請求項１に記載のＬＣＰフィルムの生産装置。
【請求項６】
前記電磁場発生器（８０）はマイクロ波発生器又は電場発生器等を含むことを特徴とする請求項１に記載のＬＣＰフィルムの生産装置。
【請求項７】
前記駆動歯車（３４）が２つの前記従動歯車（３５）に噛合接続されることを特徴とする請求項４に記載のＬＣＰフィルムの生産装置。
【請求項８】
２本の前記撹拌ロール（４２）の外壁の撹拌羽根（４３）が互にずれて分布されることを特徴とする請求項２に記載のＬＣＰフィルムの生産装置。
【請求項９】
前記第１のローラー（７１）と第２のローラー（７２）の接触面及びＴ状台供給口（６０）の供給口が同一の垂直軸線にあることを特徴とする請求項１に記載のＬＣＰフィルムの生産装置。
【請求項１０】
本装置が常に電気エネルギーを取得可能なように、ＬＣＰフィルムの生産装置を外部電力供給システムに接続して、装置を作動させるステップと、
乾燥した原材料を供給ホッパー（４１）に入れ、それと同時に駆動モータ（２０）が作動して駆動回転軸（３２）を駆動して回転させ、駆動回転軸（３２）の回転によって駆動歯車（３４）が同時に連動して回転し、２本の撹拌ロール（４２）が２つの従動歯車（３５）と連動して回転することで撹拌羽根（４３）が連動して原材料を撹拌、混合するステップと、
原材料が供給ホッパー（４１）から押出シリンダ（５１）内に落下し、それと同時に電気加熱コイル（５３）が押出シリンダ（５１）内の原材料を加熱し、更に押出スクリュー（５２）が回転することで材料を融化、搬送し、電気加熱コイル（５３）の温度を制御することによって基材の流動性を適切にするステップと、
融化した原材料が押出口（５５）からＴ状台供給口（６０）内に流れ込み、続いて電磁場発生器（８０）が取り付けられたＴ状台供給口（６０）を経由して押出モジュール（７０）に流れ込むステップと、
融化した原材料が先に第１のローラー（７１）と第２のローラー（７２）の間に流れ込み、第１のローラー（７１）と第２のローラー（７２）の協働作用によって原材料を押し出し、転写して、コイル材製品を製作でき、最後にコイル材製品を第３のローラー（７３）から搬出するステップと、を含むことを特徴とするＬＣＰフィルムの生産装置の使用方法。
【考案の詳細な説明】
【技術分野】
【０００１】
本発明は、ＬＣＰフィルムの生産技術に関し、具体的には、ＬＣＰフィルムの生産装置及び方法である。
【背景技術】
【０００２】
ＬＣＰ（即ち、液晶ポリマー／高分子）は、剛性高分子鎖構造からなる全芳香族液晶ポリエステル類高分子材料であり、新規な高性能特殊エンジニアリングプラスチックである。それは吸湿性が低く、耐化学性に優れ、ガスバリア性が高いといった特徴を有し、低誘電率且つ低誘電損率の誘電材料となり、５Ｇ技術をより高周波数、より高速にする。今後、携帯電話のアンテナ、カメラのフレキシブル基板、ノートパソコンの高速伝送線、スマートウォッチのアンテナに広く用いられる。
【０００３】
しかしながら、現在、ＬＣＰの製作過程で、その分子の棒状特性によって、横方向及び縦方向の引張強度の異方性が発生しやすいことから、不良品を生成することになり、即ち、ＭＤ方向（機械方向、ローラー方向）にしまが発生しやすく、ＴＤ方向（薄膜の幅方向）に引っ張られて破断しやすく、ＭＤ方向に引っ張られて破断しにくく、言い換えると、ＭＤ方向に裂かれやすい。
【考案の概要】
【０００４】
本発明は、電磁場発生器の生成した場によって、ＬＣＰ分子の規則的な配列をかき乱して、横方向及び縦方向の引張強度の異方性を緩和または排除することができるＬＣＰフィルムの生産装置及び方法を提供することを目的としている。
【０００５】
本発明は、技術的解決手段として、台座と、スクリュー押出機と、Ｔ状台供給口と、第１のローラー、第２のローラー及び第３のローラーを含み、前記第１のローラーと第２のローラーが並べて固定されるようにＴ状台供給口の真下に取り付けられ、前記第３のローラーが並べて固定されるように第２のローラーの隣に取り付けられる押出モジュールと、ボルトによってＴ状台供給口に固定接続され、且つＴ状台供給口の周りをひと回りするように取り付けられる電磁場発生器と、を備え、前記スクリュー押出機が台座の頂端に固定実装され、前記Ｔ状台供給口がスクリュー押出機の一端に固定実装されるＬＣＰフィルムの生産装置を提供する。
【０００６】
好ましくは、ＬＣＰフィルムの生産装置は、供給ホッパーを含み、前記供給ホッパーの内部両側にスリーブによって２本の撹拌ロールが可動に取り付けられ、前記撹拌ロールの外壁表面に撹拌羽根が固定接続される供給モジュールを更に備え、前記供給モジュールがスクリュー押出機の頂端に固定実装される。
【０００７】
好ましくは、前記スクリュー押出機が押出シリンダを含み、前記押出シリンダの内部にスリーブによって押出スクリューが可動に取り付けられ、前記押出シリンダの外壁表面に電気加熱コイルが固定実装され、前記電気加熱コイルの外部にアウトジャケットが固定実装され、前記押出シリンダの一端に押出口が固定接続される。
【０００８】
好ましくは、ＬＣＰフィルムの生産装置は、駆動ケースを含み、前記駆動ケースの内部底端にスリーブによって駆動回転軸が可動に取り付けられ、前記駆動回転軸の外部に駆動歯車が固定実装され、前記駆動ケースの内部上端の両側にスリーブによって従動回転軸が可動に取り付けられ、２本の前記従動回転軸の外部に従動歯車が固定実装される駆動モジュールを更に備え、前記駆動回転軸の一端が駆動ケースを貫通し且つ押出スクリューの一端に固定接続され、２本の前記従動回転軸の一端が駆動ケースを貫通し且つ撹拌ロールの一端に固定接続され、前記駆動モジュールが台座の頂端の一側に固定実装される。
【０００９】
好ましくは、ＬＣＰフィルムの生産装置は、動力出力端が駆動回転軸に固定接続される駆動モータを更に備え、前記駆動モータがモータブラケットによって台座の一端に固定実装される。
【００１０】
好ましくは、前記電磁場発生器はマイクロ波発生器又は電場発生器等を含む。
【００１１】
好ましくは、前記駆動歯車が２つの前記従動歯車に噛合接続される。
【００１２】
好ましくは、２本の前記撹拌ロールの外壁の撹拌羽根が互にずれて分布される。
【００１３】
好ましくは、前記第１のローラーと第２のローラーの接触面及びＴ状台供給口の供給口が同一の垂直軸線にある。
【００１４】
本願の別の態様によれば、更に、本装置が常に電気エネルギーを取得可能なように、ＬＣＰフィルムの生産装置を外部電力供給システムに接続して、装置を作動させるステップと、乾燥した原材料を供給ホッパーに入れ、それと同時に駆動モータが作動して駆動回転軸を駆動して回転させ、駆動回転軸の回転によって駆動歯車が同時に連動して回転し、２本の撹拌ロールが２つの従動歯車と連動して回転することで撹拌羽根が連動して原材料を撹拌、混合するステップと、原材料が供給ホッパーから押出シリンダ内に落下し、それと同時に電気加熱コイルが押出シリンダ内の原材料を加熱し、更に押出スクリューが回転することで材料を融化、搬送し、電気加熱コイルの温度を制御することによって基材の流動性を適切にするステップと、続いて融化した原材料が押出口からＴ状台供給口内に流れ込み、続いて電磁場発生器が取り付けられたＴ状台供給口を経由して押出モジュールに流れ込むステップと、融化した原材料が先に第１のローラーと第２のローラーの間に流れ込み、第１のローラーと第２のローラーの協働作用によって原材料を押し出し、転写して、コイル材製品を製作でき、最後にコイル材製品を第３のローラーから搬出するステップと、を含むＬＣＰフィルムの生産装置の使用方法を提供する。
【００１５】
いくつかの実施例によれば、本発明は、電磁場発生器の生成した場によって、ＬＣＰ分子の規則的な配列をかき乱して、横方向及び縦方向の引張強度の異方性を緩和または排除することができる。電磁場がない場合に、ＴＤ方向で、弾性率（負荷１０−２０Ｎ）１７５０−１９５０Ｎ／ｍｍ２、最大値負荷５０−６０Ｎ、ＭＤ方向で、弾性率（負荷１０−２０Ｎ）１０５００−１３５００Ｎ／ｍｍ２、最大値負荷３５０−４５０Ｎ。電磁場が施された場合に、ＴＤ方向で、弾性率（負荷１０−２０Ｎ）３１００−３３００Ｎ／ｍｍ２、最大値負荷１７５−２００Ｎ、ＭＤ方向で、弾性率（負荷１０−２０Ｎ）３１００−３３００Ｎ／ｍｍ２、最大値負荷１７５−２００Ｎ。ボルトで固定する手法によって、電磁場発生器を洗浄する時に操作が簡便で、よりきれいに洗浄できる。
【００１６】
いくつかの実施例によれば、本発明では供給モジュールが取り付けられており、駆動モータが作動すると駆動回転軸を駆動して回転させることができ、駆動回転軸が回転すると同時に駆動歯車が連動して回転し、２本の撹拌ロールが２つの従動歯車と連動して回転することで撹拌羽根が連動して原材料を撹拌混合して、原材料の固結を回避すると共に、原材料の混合均一性を向上させることができ、また、２組の撹拌羽根が互にずれて分布されているので、原材料の撹拌均一性を更に高くでき、原材料の融化効率を向上可能である。
【図面の簡単な説明】
【００１７】
【図１】本発明の構造全体の模式図である。
【図２】本発明の駆動モジュールの内部構造の模式図である。
【図３】本発明の供給モジュールの構造模式図である。
【図４】本発明の供給モジュールの上面図である。
【図５】本発明のスクリュー押出機の構造模式図である。
【図６】本発明の歯車伝動構造の模式図である。
【考案を実施するための形態】
【００１８】
以下、本発明の実施例の図面を参照しながら本発明の実施例の技術的解決手段を明確で完全に説明し、勿論、説明された実施例は全部の実施例ではなく、本発明の一部の実施例に過ぎない。当業者が創造的な労働を行わずに本発明の実施例に基づいて実現した他の実施例は全て本発明の保護範囲に含まれる。
（実施例１）
【００１９】
図１−６に示すように、本発明は、技術的解決手段として、台座１０、スクリュー押出機５０、Ｔ状台供給口６０、押出モジュール７０及び電磁場発生器８０を備えるＬＣＰフィルムの生産装置を提供する。
そのうち、押出モジュール７０は第１のローラー７１、第２のローラー７２及び第３のローラー７３を含み、第１のローラー７１と第２のローラー７２が並べて固定されるようにＴ状台供給口６０の真下に取り付けられ、第３のローラー７３が並べて固定されるように第２のローラー７２の隣に取り付けられる。
そのうち、電磁場発生器８０がボルトによってＴ状台供給口６０に固定接続され、且つＴ状台供給口６０の周りをひと回りするように取り付けられる。
【００２０】
更に、電磁場発生器８０は、マイクロ波、無秩序の電場等の場を生成可能である。
そのうち、マイクロ波発生器は、Ｗｅｐｅｘ周波数変換マイクロ波電源等を含む。
そのうち、電場発生器は、ＢＭ２０１植物電場発生器等を含む。
そのうち、ＬＣＰ極性分子がマイクロ波に駆動されて振動して、分子間の規則的な配列をかき乱すことができる。
そのうち、無秩序の電場によってＬＣＰ分子鎖中の液晶構造の配列が乱れる。
そのうち、スクリュー押出機５０が台座１０の頂端に固定実装され、Ｔ状台供給口６０がスクリュー押出機５０の一端に固定実装される。
そのうち、更に供給モジュール４０を含む。
そのうち、供給モジュール４０は供給ホッパー４１を含み、供給ホッパー４１の内部両側にスリーブによって２本の撹拌ロール４２が可動に取り付けられ、撹拌ロール４２の外壁表面が撹拌羽根４３に固定接続される。
【００２１】
更に、駆動モータ２０が作動すると駆動回転軸３２を駆動して回転させることができ、駆動回転軸３２の回転によって駆動歯車３４が同時に連動して回転し、２本の撹拌ロール４２が２つの従動歯車３５と連動して回転することで撹拌羽根４３が連動して原材料を撹拌混合することができ、原材料の固結を回避すると共に、原材料の混合均一性を向上させることができる。
そのうち、供給モジュール４０がスクリュー押出機５０の頂端に固定実装される。
そのうち、スクリュー押出機５０は押出シリンダ５１を含み、押出シリンダ５１の内部にスリーブによって押出スクリュー５２が可動に取り付けられ、押出スクリュー５２が駆動回転軸３２に駆動されて回転して、原材料を螺旋搬送でき、押出シリンダ５１の外壁表面に電気加熱コイル５３が固定実装され、電気加熱コイル５３が電流のジュール効果で電気エネルギーをエネルギーに変換して熱を生成して押出シリンダ５１の壁を加熱して、原材料の加熱融化を実現でき、それは従来の成熟した技術であり、電気加熱コイル５３の外部にアウトジャケット５４が固定実装され、押出シリンダ５１の一端に押出口５５が固定接続される。
【００２２】
更に、原材料が供給ホッパー４１から押出シリンダ５１内に落下し、それと同時に電気加熱コイル５３が押出シリンダ５１内の原材料を加熱でき、更に押出スクリュー５２が回転することで材料を融化し搬送することができる。
そのうち、アウトジャケット５４の内壁に１層の保温綿が粘着されており、電気加熱コイル５３の放熱を効果的に遮断でき、保温効果を有すると共に、熱がアウトジャケット５４に伝達されて作業員がやけどをするのを防止することができる。
【００２３】
更に、スクリュー押出機５０において電気加熱コイル５３の温度を制御することによって基材の流動性を適切にして、所定時間内に押出モジュール７０に流れ込ませる。
そのうち、更に駆動モジュール３０を含む。
そのうち、駆動モジュール３０は駆動ケース３１を含み、駆動ケース３１の内部底端にスリーブによって駆動回転軸３２が可動に取り付けられ、駆動回転軸３２の外部に駆動歯車３４が固定実装され、駆動ケース３１の内部上端の両側にスリーブによって従動回転軸３３が可動に取り付けられ、２本の従動回転軸３３の外部に従動歯車３５が固定実装される。
【００２４】
更に、駆動モータ２０が作動すると駆動回転軸３２を駆動して回転させることができ、駆動回転軸３２の回転によって駆動歯車３４が同時に連動して回転し、２本の従動回転軸３３が２つの従動歯車３５と連動して回転する。
そのうち、駆動回転軸３２の一端が駆動ケース３１を貫通し且つ押出スクリュー５２の一端に固定接続され、２本の従動回転軸３３の一端が駆動ケース３１を貫通し且つ撹拌ロール４２の一端に固定接続され、
そのうち、駆動モジュール３０が台座１０の頂端の一側に固定実装される。
そのうち、更に駆動モータ２０を含む。
そのうち、駆動モータ２０の動力出力端が駆動回転軸３２に固定接続される。
【００２５】
更に、駆動モータ２０が作動すると駆動回転軸３２を駆動して回転させることができる。
そのうち、駆動モータ２０がモータブラケットによって台座１０の一端に固定実装される。
そのうち、電磁場発生器８０はマイクロ波発生器又は電場発生器等を含む。
そのうち、駆動歯車３４が２つの従動歯車３５に噛合接続される。
【００２６】
更に、駆動歯車３４の回転によって従動歯車３５が連動して回転できるので、複数の部材の運動を駆動するために１台のモータがあればよく、コストを大幅に低下させると共に、電気エネルギーの消費を低下させることができる。
そのうち、２本の撹拌ロール４２の外壁の撹拌羽根４３が互にずれて分布される。
【００２７】
更に、２組の撹拌羽根４３が互にずれて分布されているので、原材料の撹拌均一性を更に高くでき、原材料の融化効率を向上させることができる。
そのうち、第１のローラー７１と第２のローラー７２の接触面及びＴ状台供給口６０の供給口が同一の垂直軸線にある。
【００２８】
更に、Ｔ状台供給口６０から流れ出た原材料が精確に第１のローラー７１と第２のローラー７２の間に流れ込むことが確保される。
【００２９】
以上の実施例によれば、電磁場発生器の生成した場によって、ＬＣＰ分子の規則的な配列をかき乱して、横方向及び縦方向の引張強度の異方性を緩和または排除することができる。電磁場がない場合に、ＴＤ方向で、弾性率（負荷１０−２０Ｎ）１７５０−１９５０Ｎ／ｍｍ２、最大値負荷５０−６０Ｎ、ＭＤ方向で、弾性率（負荷１０−２０Ｎ）１０５００−１３５００Ｎ／ｍｍ２、最大値負荷３５０−４５０Ｎ。電磁場が施された場合に、ＴＤ方向で、弾性率（負荷１０−２０Ｎ）３１００−３３００Ｎ／ｍｍ２、最大値負荷１７５−２００Ｎ、ＭＤ方向で、弾性率（負荷１０−２０Ｎ）３１００−３３００Ｎ／ｍｍ２、最大値負荷１７５−２００Ｎ。
（実施例２）
【００３０】
図１−６に示すように、本発明は、技術的解決手段として、
本装置が常に電気エネルギーを取得可能なように、ＬＣＰフィルムの生産装置を外部電力供給システムに接続して、装置を作動させるステップＳ１と、
乾燥した原材料を供給ホッパー４１に入れ、それと同時に駆動モータ２０が作動して駆動回転軸３２を駆動して回転させ、駆動回転軸３２の回転によって駆動歯車３４が同時に連動して回転し、２本の撹拌ロール４２が２つの従動歯車３５と連動して回転することで連動撹拌羽根４３が連動して原材料を撹拌、混合するステップＳ２と、
原材料が供給ホッパー４１から押出シリンダ５１に落下し、それと同時に電気加熱コイル５３が押出シリンダ５１内の原材料を加熱し、更に押出スクリュー５２が回転することで材料を融化、搬送し、電気加熱コイル５３の温度を制御することによって基材の流動性を適切にするステップＳ３と、
続いて融化した原材料が押出口５５からＴ状台供給口６０内に流れ込み、続いて電磁場発生器８０が取り付けられたＴ状台供給口６０を経由して押出モジュール７０に流れ込むステップＳ４と、
融化した原材料が先に第１のローラー７１と第２のローラー７２の間に流れ込み、第１のローラー７１と第２のローラー７２の協働作用によって原材料を押し出し、転写して、コイル材製品を製作でき、最後にコイル材製品を第３のローラー７３から搬出するステップＳ５と、を含むＬＣＰフィルムの生産装置の使用方法を提供する。
【００３１】
以上の実施例によれば、この装置で生産されたＬＣＰフィルムは、ＬＣＰフィルムの引張破壊抵抗能力を保証することができる。
【００３２】
本発明で提供された実施形態では、開示された装置を他の手段によって実現可能であることを理解すべきである。明示又は検討された相互の溶接又はネジ接続或いは巻き取り接続をデバイスを補助として完成してもよく、例えば、溶接ガンで溶接を実現し、スパナでネジ接続を実現する等が可能であり、装置構成部材の材料として様々な材料があり、例えば、アルミニウム合金、鋼及び銅等の金属材料が挙げられ、鋳造又は機械スタンピング等によって成形する。
【００３３】
本明細書では、第１及び第２等のような関係を示す用語は単にある実体又は操作を別の実体又は操作と区別するためのものに過ぎず、これらの実体又は操作間にこのような実際の関係又は順序が必ず存在することを要求又は暗示することがないことを説明する必要がある。そして、用語の「含む」、「からなる」またはその他のあらゆる変形は非排他的包含を含むように意図され、それにより一連の要素を含むプロセス、方法、物品または装置は、それらの要素のみならず、明示されていない他の要素、またはこのようなプロセス、方法、物品または装置に固有の要素をも含む。
【００３４】
上記は、本発明の特許請求の範囲を限定するものではなく、単に本発明の実施形態となり、本発明の明細書及び図面の内容に基づいて図った同等効果の構造又は同等効果のプロセス変更、或いは他の関連技術分野への直接又は間接的な応用は全て同じ理由で本発明の特許請求の範囲内に含まれる。
【符号の説明】
【００３５】
１０台座  ２０駆動モータ  ３０駆動モジュール  ３１駆動ケース  ３２駆動回転軸  ３３従動回転軸  ３４駆動歯車  ３５従動歯車  ４０供給モジュール  ４１供給ホッパー  ４２撹拌ロール  ４３撹拌羽根  ５０スクリュー押出機  ５１押出シリンダ  ５２押出スクリュー  ５３電気加熱コイル  ５４アウトジャケット  ５５押出口  ６０Ｔ状台供給口  ７０押出モジュール  ７１第１のローラー  ７２第２のローラー  ７３第３のローラー  ８０電磁場発生器
【図１】
0003231539.tif 000003
【図２】
0003231539.tif 000004
【図３】
0003231539.tif 000005
【図４】
0003231539.tif 000006
【図５】
0003231539.tif 000007
【図６】
0003231539.tif 000008
【手続補正書】
【提出日】令和2年9月16日(2020.9.16)
【手続補正１】
【補正対象書類名】実用新案登録請求の範囲
【補正対象項目名】全文
【補正方法】変更
【補正の内容】
【実用新案登録請求の範囲】
【請求項１】
台座と、
スクリュー押出機と、
Ｔ状台供給口と、
第１のローラー、第２のローラー及び第３のローラーを含み、前記第１のローラーと第２のローラーが並べて固定されるようにＴ状台供給口の真下に取り付けられ、前記第３のローラーが並べて固定されるように第２のローラーの隣に取り付けられる押出モジュールと、
ボルトによってＴ状台供給口に固定接続され、且つＴ状台供給口の周りをひと回りするように取り付けられる電磁場発生器と、を備え、
前記スクリュー押出機が台座の頂端に固定実装され、前記Ｔ状台供給口がスクリュー押出機の一端に固定実装されることを特徴とするＬＣＰフィルムの生産装置。
【請求項２】
供給ホッパーを含み、前記供給ホッパーの内部両側にスリーブによって２本の撹拌ロールが可動に取り付けられ、前記撹拌ロールの外壁表面に撹拌羽根が固定接続される供給モジュールを更に備え、
前記供給モジュールがスクリュー押出機の頂端に固定実装されることを特徴とする請求項１に記載のＬＣＰフィルムの生産装置。
【請求項３】
前記スクリュー押出機が押出シリンダを含み、前記押出シリンダの内部にスリーブによって押出スクリューが可動に取り付けられ、前記押出シリンダの外壁表面に電気加熱コイルが固定実装され、前記電気加熱コイルの外部にアウトジャケットが固定実装され、前記押出シリンダの一端に押出口が固定接続されることを特徴とする請求項１に記載のＬＣＰフィルムの生産装置。
【請求項４】
駆動ケースを含み、前記駆動ケースの内部底端にスリーブによって駆動回転軸が可動に取り付けられ、前記駆動回転軸の外部に駆動歯車が固定実装され、前記駆動ケースの内部上端の両側にスリーブによって従動回転軸が可動に取り付けられ、２本の前記従動回転軸の外部に従動歯車が固定実装される駆動モジュールを更に備え、
前記駆動回転軸の一端が駆動ケースを貫通し且つ押出スクリューの一端に固定接続され、２本の前記従動回転軸の一端が駆動ケースを貫通し且つ撹拌ロールの一端に固定接続され、
前記駆動モジュールが台座の頂端の一側に固定実装されることを特徴とする請求項１に記載のＬＣＰフィルムの生産装置。
【請求項５】
動力出力端が駆動回転軸に固定接続される駆動モータを更に備え、
前記駆動モータがモータブラケットによって台座の一端に固定実装されることを特徴とする請求項１に記載のＬＣＰフィルムの生産装置。
【請求項６】
前記電磁場発生器はマイクロ波発生器又は電場発生器等を含むことを特徴とする請求項１に記載のＬＣＰフィルムの生産装置。
【請求項７】
前記駆動歯車が２つの前記従動歯車に噛合接続されることを特徴とする請求項４に記載のＬＣＰフィルムの生産装置。
【請求項８】
２本の前記撹拌ロールの外壁の撹拌羽根が互にずれて分布されることを特徴とする請求項２に記載のＬＣＰフィルムの生産装置。
【請求項９】
前記第１のローラーと第２のローラーの接触面及びＴ状台供給口の供給口が同一の垂直軸線にあることを特徴とする請求項１に記載のＬＣＰフィルムの生産装置。